(57)【特許請求の範囲】
【請求項１】
燃焼により発光する光薬、および、燃焼により光弾を空中に打ち上げ、前記光薬に点火して前記光薬を燃焼させる推進薬を充填してなる光弾を一列に複数装填してなり、かつ、前記推進薬に点火して前記推進薬を燃焼させる点火薬を収容してなる信号弾本体と、
前記点火薬に電気を流して前記点火薬を発火させる電気回路を内蔵する把持部材とを有し、
使用可能な状態にしたときに、前記電気回路に備えられたスイッチが露出することを特徴とする連射式信号弾。
【請求項２】
燃焼により発光する光薬、および、燃焼により光弾を空中に打ち上げ、前記光薬に点火して前記光薬を燃焼させる推進薬を充填してなる光弾を一列に複数装填してなり、かつ、前記推進薬に点火して前記推進薬を燃焼させる点火薬、および、前記点火薬に電気を流して前記点火薬を発火させる電気回路を収容してなる信号弾本体と、
把持部材とを有し、
使用可能な状態にしたときに、前記電気回路に備えられたスイッチが露出することを特徴とする連射式信号弾。
【請求項３】
前記把持部材が、前記信号弾本体に回動可能に軸支される請求項１または２に記載の連射式信号弾。
【請求項４】
前記把持部材を回動させることによって、使用可能な状態にされる請求項３に記載の連射式信号弾。
【発明の詳細な説明】
【０００１】
【発明の属する技術の分野】
この発明は連射式信号弾に関し、さらに詳しくは、救命用等として好適に使用することができ、簡単な構造で取り扱い易く、しかも薄型、小型、軽量で収納や運搬に便利な連射式信号弾に関する。
【０００２】
【従来の技術】
従来の連射式信号弾は、略直方体形状である。この連射式信号弾を、水平な台にその長手方向に平行な軸が直交するようにして立設した場合において、この連射式信号弾における、上部が弾倉部であり、下部が把持部である。前記弾倉部と前記把持部とは一体化されている。
【０００３】
前記弾倉部には、上方に向けて開口する光弾装填用穴がたとえば４個づつ二列に設けられている。前記光弾装填用穴には、光薬を充填してなる光弾が装填されている。前記把持部には、前記光弾に通電する電気回路が内蔵されている。前記電気回路は、前記把持部に設けられた引き金を引くことにより作動する。なお、連射式信号弾の誤作動を防止する観点から、前記引き金は、前記把持部に設けられた安全栓を引き抜かないと、引くことができないように設計されている。
【０００４】
この連射式信号弾は、以下のようにして使用する。前記把持部を把持し、前記弾倉部を上方に向ける。前記安全栓を引き抜く。前記引き金を指で引くと、前記電気回路が作動する。前記光弾に電気が流れ、前記光弾が打ち上げられ、光薬が発光する。その結果、この発光により非常事態の発生が確認される。
【０００５】
しかしながら、この従来の連射式信号弾には、以下のような問題がある。前記弾倉部が、光弾を二列に複数個づつ装填しているので、連射式信号弾が厚型化・大型化・重量化する。このため、収納・運搬に不便であり、その取り扱いも容易でない。また、安全栓を設けるために構造が複雑化する上、使用時にはこの安全栓を引き抜く必要があり、簡便に操作することができない。緊急時においては、このような操作の煩雑さは、人命に関わる重大な問題となり得る。
【０００６】
【発明が解決しようとする課題】
この発明は、前記従来の連射式信号弾における問題を解決することを課題とする。この発明は、救命用等として好適に使用することができる連射式信号弾を提供することを課題とする。この発明は、簡単な構造で取り扱い易い連射式信号弾を提供することを課題とする。この発明は、薄型、小型、軽量で収納や運搬に便利な連射式信号弾を提供することを課題とする。
【０００７】
【課題を解決するための手段】
前記課題を解決するための一の手段は、燃焼により発光する光薬、および、燃焼により光弾を空中に打ち上げ、前記光薬に点火して前記光薬を燃焼させる推進薬を充填してなる光弾を一列に複数装填してなり、かつ、前記推進薬に点火して前記推進薬を燃焼させる点火薬を収容してなる信号弾本体と、前記点火薬に電気を流して前記点火薬を発火させる電気回路を内蔵する把持部材とを有し、使用可能な状態にしたときに、前記電気回路に備えられたスイッチが露出することを特徴とする連射式信号弾である。
【０００８】
前記課題を解決するための他の手段は、燃焼により発光する光薬、および、燃焼により光弾を空中に打ち上げ、前記光薬に点火して前記光薬を燃焼させる推進薬を充填してなる光弾を一列に複数装填してなり、かつ、前記推進薬に点火して前記推進薬を燃焼させる点火薬、および、前記点火薬に電気を流して前記点火薬を発火させる電気回路を収容してなる信号弾本体と、把持部材とを有し、使用可能な状態にしたときに、前記電気回路に備えられたスイッチが露出することを特徴とする連射式信号弾である。
【０００９】
これらの連射式信号弾においては、前記把持部材が、前記信号弾本体に回動可能に軸支されている態様が好ましい。また、前記把持部材を回動させることによって、使用可能な状態にされる態様が好ましい。
【００１０】
【発明の実施の形態】
この発明に係る連射式信号弾は、信号弾本体と把持部材とを有してなる。
【００１１】
なお、前記連射式信号弾において、前記信号弾本体および前記把持部材の少なくとも一方は電気回路を収容してなる。
【００１２】
（信号弾本体）
前記信号弾本体は、光弾と点火薬とを収容し、場合によってはさらに電気回路を収容してなる。
【００１３】
前記信号弾本体の形状としては、特に制限はなく、目的に応じて各種の形状を選択することができるが、たとえば、棒状、円柱，角柱等の柱状、立方体，直方体等の方体状などが挙げられる。前記信号弾本体の形状としては、一般に、角柱形状、直方体状が選択される。
【００１４】
前記信号弾本体の大きさとしては、連射式信号弾の用途、前記光弾の大きさ等に応じて適宜決定される。
【００１５】
前記信号弾本体の構造としては、単一の部材からなる構造であってもよいし、あるいは複数の部材からなる構造であってもよい。後者としては、たとえば、前記光弾と前記点火薬とを収容する部材（以下「光弾収容部材」と称する。）および電気回路を収容する部材（以下「電気回路収容部材」と称する。）を有してなる構造などが挙げられる。この場合、前記光弾収容部材および前記電気回路収容部材の形状としては、前記信号弾本体の形状として例示した形状などが挙げられる。前記光弾収容部材および前記電気回路収容部材は、互いに異なる形状等であってもよいし、あるいは同じ形状等であってもよい。なお、前記光弾収容部材および前記電気回路収容部材を同じ厚みに設計し、互いに接続すると、前記信号弾本体の凹凸を少なくすることができる。
【００１６】
前記信号弾本体には、その長手方向に平行な軸と直交するように複数の凹陥部が、１列に直線状に形成されている。この凹陥部には前記光弾が装填される。前記凹陥部の数としては、特に制限はなく、連射式信号弾の用途、目的等に応じて適宜決定することができるが、通常２〜２０個であり、好ましくは４〜１０個、特に好ましくは６〜８個である。前記複数の凹陥部同士は、通常、互いに同じ形状を有し、同じ方向に開口している。
【００１７】
前記凹陥部の形状としては、目的に応じて適宜選択することができるが、たとえば、円柱，角柱等の柱状、立方体，直方体等の方体状などが挙げられる。前記凹陥部の形状としては、一般に円柱形状が選択される。なお、前記凹陥部の大きさは、連射式信号弾の用途、目的等に応じて決定すればよい。
【００１８】
前記凹陥部の底面部には、たとえば、逆円錐形、逆角錐形、逆円錐台形、逆角錐台形、円柱形、角柱形、球形などの空間が形成されている。この空間が点火薬収容室である。なお、前記点火薬収容室の大きさは、目的に応じて決定すればよい。前記点火薬収容室には、一般に前記点火薬が配置、収容される。
【００１９】
前記信号弾本体には、前記凹陥部が開口する方向と逆の方向に開口する帯状の溝が、前記信号弾本体の長手方向と平行に、前記信号弾本体の一端部側から他端部側にかけて形成されている。なお、この発明においては、前記溝における一端側には、前記溝と同じ方向に開口し、前記溝の幅よりも大きな外径を有し、前記溝よりも深い凹部が形成されていてもよい。
【００２０】
前記点火薬収容室と、前記溝とは貫通孔により連通されている。前記貫通孔の形状、大きさ等については、特に制限はなく、目的に応じて適宜決定すればよい。
【００２１】
前記信号弾本体の素材としては、耐熱性および機械的強度に優れた素材であれば特に制限はなく、一般に、それ自体公知のプラスチックス、軽合金、金属、セラミックス、複合材料などの中から選択される。
【００２２】
−光弾−
前記光弾は、中空体と光薬と推進薬とを有してなる。
【００２３】
前記中空体の形状としては、前記信号弾本体に形成した前記凹陥部に装填することができる形状であれば特に制限はなく、目的に応じて適宜選択することができるが、たとえば、球状、円柱，角柱等の柱状、立方体，直方体等の方体状などが挙げられる。前記光弾の形状としては、一般に、前記凹陥部と同じ形状が選択される。
【００２４】
前記中空体の大きさとしては、前記信号弾本体に形成した前記凹陥部に装填することができる大きさであれば特に制限はないが、一般に、前記凹陥部よりもやや小さな形状が選択される。
【００２５】
前記中空体の形状として前記凹陥部と同じ形状を選択し、前記中空体の大きさとして前記凹陥部よりもやや小さな形状を選択すると、連射式信号弾の発射時等において、前記光弾と前記凹陥部の周側壁面の隙間からガス漏れが生じにくくなるので、推進薬の燃焼ガス圧を有効に利用することができる。
【００２６】
前記中空体は、内部が中空になっており、一方に開口部が形成されている。この開口部から填薬が行われる。
【００２７】
前記中空体の素材としては、爆発、発火等により燃焼、破損、崩壊等しない素材であれば特に制限はないが、たとえば、アルミニウム合金のように製作し易く軽量で、機械的強度に優れる素材が好ましい。
【００２８】
前記光薬としては、燃焼により発光する物質であれば特に制限はなく、それ自体公知の光薬の中から目的に応じて適宜選択することができる。前記光薬は、前記中空体内に充填される。前記光薬の前記中空体内に充填される量としては、特に制限はなく、連射式信号弾の用途等に応じて決定することができる。
【００２９】
前記推進薬は、燃焼により前記光弾を空中に打ち上げ、前記光薬に点火して前記光薬を燃焼させることができる機能を有すれば特に制限はなく、それ自体公知の物質の中から適宜選択することができる。
【００３０】
前記推進薬は、前記光薬が充填された中空体の開口部側に充填される。この場合、前記推進薬が前記光薬に点火して前記光薬を発光させるように設計してもよく、前記推進薬と前記光薬との間に着火薬や速火線等を介在させて、前記推進薬が前記着火薬や速火線等を発火させ、この発火した着火薬や速火線等が前記光薬に点火して前記光薬を発光させるように設計してもよい。この発明においては、前記推進薬における発火が前記光薬に短時間で伝達することができる限り、連射式信号弾の用途、目的に応じて自由に設計することができる。
【００３１】
前記光弾の打ち上げ距離は、前記推進薬の種類、量、推進薬の配置態様を適宜選択することによって調整することができる。
【００３２】
前記光弾は、前記推進薬が前記信号弾本体における前記点火薬収容室に臨むようにして前記凹陥部内に装填される。
【００３３】
−点火薬−
前記点火薬は、前記信号弾本体における前記点火薬収容室内に配置される。
【００３４】
前記点火薬は、前記推進薬に点火して前記推進薬を燃焼させることができる限り特に制限はないが、それ自体公知の物質の中から選択することができる。
【００３５】
前記点火薬は、前記点火薬収容室内に充填してもよく、あるいは球状等に固化して点火玉として前記点火薬収容室内に配置してもよい。前記点火薬を点火玉の態様で使用する場合、点火玉の数は、通常１〜２個である。前記点火薬の量、あるいは点火玉の数、大きさ等については、適宜決定することができる。
【００３６】
前記点火薬の中心部には、電気を通す脚線の一端に接続された電橋線が設けられている。前記電橋線は、通電により発熱させる機能を有する限り特に制限はなく、適宜選択することができるが、通常、白金とイリジウムの合金線が使用される。前記脚線は、前記貫通孔を貫通して前記溝内に敷延される。前記脚線に電気を流すと、この電気により前記点火薬が発火する。前記脚線は、通電する機能を有する限り特に制限はないが、通常はビニール被覆銅線が使用される。
【００３７】
この発明においては、前記脚線が前記溝内に敷延された状態において、前記溝内にポッティング剤を充填してもよい。前記ポッティング剤としては、特に制限はないが、たとえばエポキシ樹脂などが挙げられる。前記ポッティング剤を前記溝内に充填すると、前記光弾の推進薬の燃焼ガス圧の低下を防止することができ、前記脚線を前記溝内で固定した状態で敷延させることができ、前記脚線の切断等の事故を防止することができる。なお、前記溝に連通する前記凹部が形成されている場合、前記凹部内には前記ポッティング剤を充填しないので、前記脚線は前記凹部内において固定されていない。
【００３８】
この発明においては、前記信号弾本体に装填された前記光弾における推進薬と、前記点火薬とは互いに隣接しているので、前記点火薬が発火すると、この発火により前記推進薬が点火されるが、前記推進薬の点火を確実かつ迅速に行わせる目的で前記点火薬と前記推進薬との間に着火薬や速火線等を介在させてもよい。この発明においては、前記信号弾本体における前記凹陥部に前記光弾を装填し、前記点火薬収容室に前記点火薬を収容した場合において、前記凹陥部における開口端に蓋体を設けてある。前記蓋体を設けると、連射式信号弾の使用時までの間に前記信号弾本体からの前記光弾の脱落、湿気の侵入等を効果的に防止することができる。
【００３９】
前記蓋体は、前記光弾の打ち上げを妨害しない素材で形成することができ、たとえば、ボール紙等の紙に錫箔、合成樹脂薄膜等を被覆してなる防湿板、アルミホイルなどを前記蓋体として使用することができる。前記防湿板を使用すると、前記光弾の湿気による変質を効果的に防止することができる。前記蓋体は、単層構造であってもよいし、あるいは多層構造であってもよく、また、１枚使用してもよいし、あるいは２枚以上使用してもよい。
【００４０】
−電気回路−
前記信号弾本体は、電気回路を内蔵ないし収容していてもよい。前記電気回路は、スイッチ、電池等を備えてなり、前記スイッチを操作することにより、通電、遮電の切り替えを行うことができる機能を有していれば特に制限はなく、目的に応じて適宜選択することができる。前記電気回路には前記脚線の一端が接続されている。このため、前記スイッチを操作して電気回路を作動させる毎に、前記脚線を通じて各点火薬収容室に配置された点火玉に順次電気が流れ、前記点火玉を順次発火させることができる。
【００４１】
前記スイッチとしては、たとえば、ロータリスイッチ、トグルスイッチ、プッシュスイッチ、シーソスイッチ、スライドスイッチ、マイクロスイッチ、デッジタルサムホイールスイッチ、キースイッチ、キーボード、フラットキーボード、近接スイッチ、タッチスイッチなどが挙げられる。こられの中でも、操作が簡単で、かつ、スイッチをＯＮにしたか否かが一瞥して判断することができる点で、ロータリスイッチ、トグルスイッチ、プッシュスイッチ、シーソスイッチ、スライドスイッチなどが好ましい。
【００４２】
この発明においては、後述の把持部材を、前記信号弾本体に連結したとき、あるいは回動させたときに、前記スイッチが露出するように連射式信号弾を設計することができる。このように連射式信号弾を設計すると、連射式信号弾の誤作動を確実に防止することができるので好ましい。
【００４３】
（把持部材）
前記把持部材の形状としては、把持することができる形状であれば特に制限はなく、たとえば、棒状、円柱，角柱等の柱状、立方体，直方体等の方体状などが挙げられ、目的に応じて適宜選択することができる。前記把持部材の形状としては、一般に、前記信号弾本体の形状と同様の形状が選択される。
【００４４】
前記把持部材の大きさは、連射式信号弾の用途等に応じて適宜決定することができるが、通常、前記信号弾本体よりも小さくなるように選択される。
【００４５】
前記把持部材の構造としては、単一の部材で形成される構造であってもよいし、あるいは複数の部材で形成される構造であってもよい。また、前記把持部材は、内部が中空である構造であってもよい。
【００４６】
前記把持部材の素材としては、前記信号弾本体の素材として例示した素材が挙げられる、これらの素材の中から適宜選択することができるが、通常、それ自体公知のプラスチックスなどの中から選択される。
【００４７】
この発明においては、前記把持部材は、連射式信号弾の使用前から前記信号弾本体に連結していてもよく、あるいは、連射式信号弾の使用時に前記信号弾本体に連結してもよい。前記連結の手段としては、たとえば、螺合、嵌合、掛合などが挙げられる。
【００４８】
この発明においては、連射式信号弾の使用時まで前記把持部材を前記信号弾本体内に収納し、あるいは係止部材等を使用して前記信号弾本体と一体化させることができるように前記把持部材を設計するのが好ましい。このように把持部材を設計すると、把持部材の紛失、前記脚線の切断等を防止することができ、また連射式信号弾の保管等も容易である。さらに、この発明においては、回動可能に軸支された状態で前記信号弾本体に備えられるように前記把持部材を設計するのが好ましい。このように把持部材を設計すると、使用時に把持部材を回動させるだけで連射式信号弾を使用可能な状態にすることができ、把持部材を前記信号弾本体に連結する操作が不要になる。簡単な操作で使用可能な状態にすることができるということは、非常事態等において使用されることが多い連射式信号弾においては非常に有利である。
【００４９】
前記把持部材を前記信号弾本体に回動可能に軸支する場合、軸支の方法としては、たとえば、ピン等を用いて直接的に軸支してもよく、あるいは蝶番等を用いて間接的に軸支してもよい。
【００５０】
前記把持部材を軸支する位置としては、たとえば、前記信号弾本体に前記凹部が形成されている場合には、前記信号弾本体における前記溝が形成されている面であって、前記凹部が形成されている側である。また、前記信号弾本体が、前記光弾収容部材と前記電気回路収容部材とが接続されてなる場合には、通常、前記電気回路収容部材における一端部であって、前記光弾収容部材と接続された側とは反対側である。
【００５１】
このような位置に前記把持部材を軸支すると、連射式信号弾の使用前における、連射式信号弾の形状を略直方体形状にすることができるので、連射式信号弾の積み重ね、配列等が容易になり、収納、運搬等が便利である。
【００５２】
前記把持部材を回動させる角度としては、前記把持部材の前記信号弾本体における軸支位置、前記把持部材の長さ等により異なるので一概に規定することはできないが、通常９０°以内である。
【００５３】
前記把持部材は、少なくとも回動の初期位置と回動の終点位置とにおいて固定することができるように設計されるが、回動の途中における所望の位置において把持部材を固定することができるように設計してもよい。連射式信号弾は、通常、上方に向けて使用されるが、用途によっては上方以外の方向に向けて使用される場合もあるからである。
【００５４】
前記把持部材の回動を停止し、把持部材を固定する手段としては、目的に応じて適宜選択することができるが、たとえば、把持部材と前記筒体との掛合、歯合、係止部材の使用などが挙げられる。
【００５５】
この発明においては、前記把持部材を回動させる際に、ねじりコイルスプリング等の付勢部材を使用することができる。前記付勢部材は、通常、圧縮された状態で使用される。換言すれば、前記付勢部材は、回動の終点位置に向けて把持部材の回動を付勢することができるような状態で使用される。このような付勢部材を使用すると、容易に把持部材を回動させることができる。なお、このような付勢部材を使用する場合、連射式信号弾の使用時までの間、前記把持部材の回動の初期位置で前記把持部材を固定する必要があるが、前記固定は、たとえばクリップ等の係止部材を使用して行うことができる。
【００５６】
この発明においては、前記把持部材を、前記把持部材の回動の終点位置まで回動させたときに、前記把持部材に回動可能に軸支された支持部材で前記信号弾本体を支持することができるように設計しておくのが好ましい。前記支持部材を使用すると、前記把持部材が前記信号弾本体側に逆に回動するのを防止することができる。前記支持部材としては、特に制限はなく、目的に応じて選択することができるが、前記把持部材の回動に連動して回動し、前記把持部材が回動の終点位置まで回動したときに前記信号弾本体を支持することができるように設計された支持部材が好ましい。
【００５７】
前記把持部材は、電気回路を内蔵していてもよい。前記電気回路としては、前述した電気回路を挙げることができる。この発明においては、前記把持部材を、前記信号弾本体に連結したとき、あるいは回動させたときに、前記電気回路の前記スイッチが露出するように連射式信号弾を設計することができる。このように連射式信号弾を設計すると、連射式信号弾の誤作動を確実に防止することができるので好ましい。
【００５８】
この発明に係る連射式信号弾は、以下のように作用する。把持部材を把持して電気回路を作動させる。点火薬に電気が流れ、点火薬が発火する。点火薬の発火により、推進薬が点火され、燃焼する。推進薬の燃焼により、光弾が空中に打ち上げられ、光薬が燃焼し、発光する。
【００５９】
この発明に係る連射式信号弾は、簡単な構造で取り扱い易く、しかも薄型、小型、軽量で収納や運搬に便利であり、救命用等として好適に使用することができる。
【００６０】
前記連射式信号弾における把持部材が、信号弾本体に回動可能に軸支されている場合には、把持部材を回動させてから、この把持部材を把持する。この場合、把持部材が回動により折畳自在であるので、連射式信号弾を小型化させることができ、収納や運搬等においてさらに便利である。また、前記連射式信号弾における電気回路が、把持部材を回動させたときに露出するスイッチを備えてなる場合には、前記把持部材を回動させてから、この把持部材を把持し、露出したスイッチを押して、前記電気回路を作動させる。この場合、使用時までスイッチを誤って押すことがないので、連射式信号弾の誤作動を確実に防止することができる。
【００６１】
【実施例】
以下、この発明に係る連射式信号弾の実施例について図面を参照しながら説明する。
【００６２】
（実施例１）
図１は、この発明に係る連射式信号弾の一の実施例を示す断面概略説明図である。図１に示す連射式信号弾１は、信号弾本体２と把持部材３とを有してなる。
信号弾本体２は、光弾４と点火玉５とを収容する。
【００６３】
信号弾本体２は、略直方体形状である。信号弾本体２には、その長手方向に平行な軸と直交するように、円筒形状の凹陥部６が、７個１列に形成されている。凹陥部６は、同じ方向に開口している。凹陥部６には光弾４が装填される。凹陥部６の底面部には、逆円錐形状の空間が形成されている。この空間が点火薬収容室７である。点火薬収容室７には、点火玉５が配置、収容される。
【００６４】
信号弾本体２には、凹陥部６が開口する方向と逆の方向に開口する帯状の溝８が、信号弾本体２の長手方向と平行に、信号弾本体２の一端部側から他端部側にかけて形成されている。溝８における一端側には、溝８と同じ方向に開口し、溝８の幅よりも大きな外径を有し、溝８よりも深い凹部９が形成されている。点火薬収容室７と溝８とは、円筒形状の貫通孔１０により連通されている。実施例１において、信号弾本体２はアルミニウム合金製である。
【００６５】
光弾４は、中空体１１と光薬１２と推進薬１３とを有してなる。
【００６６】
中空体１１は、一端有底の円筒形状であり、光弾装填用穴６よりもやや小さな大きさ、形状である。中空体１１は、爆発、発火等により容易に燃焼、破損、崩壊等しないアルミニウム合金製である。
【００６７】
光薬１２は、過塩素酸カリウム、マグネシウム、炭酸ストロンチウム等の混合物である。光薬１２は、中空体１１内に充填される。推進薬１３は、クロム酸バリウム等である。光薬１２と推進薬１３との間には、着火薬１５と速火線１４とが介在されている。
【００６８】
光弾４は、中空体１１における開口部が信号弾本体２における点火薬収容室７に臨むようにして凹陥部６内に装填される。
【００６９】
点火玉５は、信号弾本体２における点火薬収容室７毎に１個づつ配置される。点火玉５は、脚線１６の一端に接続されている。脚線１６は、貫通孔１０を貫通して溝８内に敷延される。脚線１６が溝８内に敷延された状態において、溝８内には、ポッティング剤１７が充填される。ポッティング剤１７は、エポキシ樹脂である。なお、この場合において、溝８に連通して形成されている凹部９には、ポッティング剤１７は充填されていない。
【００７０】
点火薬収容室７に点火玉５を収容し、凹陥部６に光弾４を装填した後、ボール紙に錫箔を被覆してなる防湿板とボール紙製の塞板とを交互に重ねてなる蓋体１８が、凹陥部６における開口端部の内面に接着剤により接着される。
【００７１】
把持部材３は、信号弾本体と同様の直方体形状である。把持部材３の大きさは、信号弾本体２よりも小さい。把持部材３は、ポリカーボネートにステンレス板を巻つけてなる把持部材側ヒンジ２８を有している。
【００７２】
把持部材３は、前記把持部材側ヒンジ２８と信号弾本体２とにおける、溝８が形成されている面であって凹部９が形成されている側に設けられた本体側ヒンジ２９で支持されたところの、ピン１９によって回動可能に軸支されている。把持部材３は、９０°回動可能になっている。
【００７３】
把持部材３の回動は、ピン１９によって軸支された、ねじりコイルスプリング２０によって付勢される。ねじりコイルスプリング２０は、回動の初期位置から終点位置に向けて把持部材３の回動を付勢する。連射式信号弾１の使用時までの間、クリップ２１との係止により把持部材３は、その回動の初期位置つまり信号弾本体２と隣接した位置で固定されている。このため、クリップ２１の先端に接続されたリボン２２を引っ張り、クリップ２１の位置をずらして、クリップ２１と把持部材３との係止を解くと、把持部材３が回動する。
【００７４】
把持部材３が９０°回動すると、把持部材３の一端面と信号弾本体２における溝８の形成された面とが接触し、このとき、ねじりコイルスプリング２７によって、ピン２３により把持部材３に回動可能に軸支されたステンレス製のサポーター２４が、回動させられ、信号弾本体２における溝８の形成された面に設けられた溝２５に引っ掛けられる。
【００７５】
把持部材３は、図示しない電気回路を内蔵する。前記電気回路は、プッシュスイッチ２６を備えてなり、プッシュスイッチ２６を操作することにより、各点火玉に順次通電させることができる。前記電気回路には脚線１６の一端が接続され、プッシュスイッチ２６を押して電気回路を作動させる毎に、脚線１６を通じて点火玉５に電気が流れ、点火薬収容室７内に配置された点火玉５を順次発火させることができる。この実施例においては、プッシュスイッチ２６は、把持部材３を回動させたときに露出するように設計されている。
【００７６】
実施例１における連射式信号弾１においては、まず、リボン２２を引っ張り、クリップ２１を動かし、クリップ２１と把持部材３との係合を解く。把持部材３が、ねじりコイルスプリング２０の付勢力により付勢されながらピン１９を軸にして回動する。把持部材３が９０°回動すると、把持部材３の一端面と信号弾本体２における溝８の形成された面とが当接し、ねじりコイルスプリング２７によりサポーター２４がピン２３を軸にして回動させられる。サポーター２４は、信号弾本体２に形成された溝穴２５に引っ掛かる。把持部材３が固定される。把持部材３の回動の結果、プッシュスイッチ２６が露出する。
【００７７】
把持部材３を把持し、信号弾本体２における凹陥部６を上方に向ける。プッシュスイッチ２６を指で押して電気回路を作動させる。信号弾本体２における一端側に位置する点火薬収容室７に配置された点火玉５に電気が流れる。点火薬５が発火する。点火薬５の発火により、推進薬１３が発火する。この推進薬１３の燃焼により、光弾４が、蓋部材１８を破り、空中に打ち上げられるのとほぼ同時に、速火線１４、着火薬１５が発火され、この着火薬１５の発火により光薬１２が、上昇しながら燃焼し、中空体１１の開口部から発光する。プッシュスイッチ２６を指で押す毎に、凹陥部６に装填された光弾４が順次打ち上げられ、光薬１２が燃焼により発光する。その結果、非常事態の発生が確認される。
【００７８】
実施例１における連射式信号弾１は、光弾４を１列に配置しているので薄型、軽量であり、把持部材３が折畳式になっているので小型であり、収納・運搬に非常に便利で取り扱い易い。また、把持部材３をセットしたときにのみ、プッシュスイッチ２６が露出するので、使用時以外の誤作動を確実に防止することができる。プッシュスイッチ２６を押すだけで、非常信号を１発づつ打ち上げ、発光させることができるので、この連射式信号弾１は、救命用等として好適に使用することができる。
【００７９】
（実施例２）
図２は、この発明に係る連射式信号弾の他の実施例を示す断面概略説明図である。図２に示す連射式信号弾１は、信号弾本体２と把持部材３とを有してなる。信号弾本体２は、光弾収容部材２ａと電気回路収容部材２ｂとを接続してなる。
【００８０】
光弾収容部材２ａは、略直方体形状である。光弾収容部材２ａには、その長手方向に平行な軸と直交するように、円筒形状の凹陥部６が、７個１列に形成されている。凹陥部６同士は、同じ方向に開口している。凹陥部６には光弾４が装填される。
【００８１】
光弾収容部材２ａには、凹陥部６が開口する方向と逆の方向に開口する帯状の溝８が、光弾収容部材２ａの長手方向と平行に、光弾収容部材２ａの一端部側から他端部側にかけて形成されている。点火薬収容室７と溝８とは、円筒形状の貫通孔１０により連通されている。実施例２において、光弾収容部材２ａはアルミニウム合金製である。
【００８２】
光弾収容部材２ａは、光弾４と点火玉５とを収容する。
【００８３】
光弾４は、中空体１１と光薬１２と推進薬１３とを有してなる。
【００８４】
中空体１１は、一端有底の円筒形状であり、光弾装填用穴６よりもやや小さな大きさ、形状である。中空体１１は、爆発、発火等により容易に燃焼、破損、崩壊等しないアルミニウム合金製である。
【００８５】
光薬１２は、過塩素酸カリウム、マグネシウム、炭酸ストロンチウム等の混合物である。光薬１２は、中空体１１内に充填される。推進薬１３は、クロム酸バリウム等である。光薬１２と推進薬１３との間には、着火薬１５と速火線１４とが介在されている。
【００８６】
光弾４は、中空体１１における開口部が光弾収容部材２ａにおける凹陥部６の底面に臨むようにして凹陥部６内に装填される。このとき、光弾４の底面部には円錐形状の空間が形成されている。この空間が点火薬収容室７である。点火薬収容室７には、点火玉５が配置、収容される。
【００８７】
点火玉５は、光弾収容部材２ａにおける点火薬収容室７毎に１個づつ配置される。点火玉５は、脚線１６の一端に接続されている。脚線１６は、貫通孔１０を貫通して溝８内に敷延される。脚線１６が溝８内に敷延された状態において、溝８内には、ポッティング剤１７が充填される。ポッティング剤１７は、エポキシ樹脂である。
【００８８】
点火薬収容室７に点火玉５を収容し、凹陥部６に光弾４を装填した後、ボール紙に錫箔を被覆してなる防湿板とボール紙製の塞板とを交互に重ねてなる蓋体１８が、凹陥部６における開口端部の内面に接着剤により接着される。
【００８９】
電気回路収容部材２ｂは、略直方体形状であり、その長さは光弾収容部材２ａよりも短く設計されている。実施例２において、電気回路収容部材２ｂはポリカーボネート製である。電気回路収容部材２ｂは、その長手方向の軸と光弾収容部材２ａの長手方向の軸とが平行になるようにして、ネジ３０により光弾収容部材２ａに脱落不能に接続されている。
【００９０】
電気回路収容部材２ｂは、図示しない電気回路を内蔵する。前記電気回路は、プッシュスイッチ２６を備えてなり、プッシュスイッチ２６を操作することにより、各点火玉５に順次通電させることができる。前記電気回路には脚線１６の一端が接続され、プッシュスイッチ２６を押して電気回路を作動させる毎に、脚線１６を通じて点火玉５に電気が流れ、点火薬収容室７内に配置された点火玉５を順次発火させることができる。実施例２においては、プッシュスイッチ２６は、把持部材３を回動させたときに露出するように設計されている。
【００９１】
把持部材３は、一端有底の筒状部材であり、直方体形状を有する。把持部材３における中空部の厚みは、電気回路収容部材２ｂの厚みよりも僅かに大きくなっている。把持部材３の周側面における、面積の小さな一平面には、切欠き部３ａが形成されている。また、把持部材３の周側面であって面積の大きな平面における、把持部材３の一端開口部側には、ピン１９に貫通される貫通部３ｂが把持部材３から突出するようにして形成されている。貫通部３ｂにおいて、把持部材３における切欠き部３ａが形成されていない側には、貫通孔３ｃが形成されており、把持部材３における切欠き部３ａが形成されている側には、貫通孔３１が形成されている。
【００９２】
貫通孔３ｃと、電気回路収容部材２ｂにおける、光弾収容部材２ａと接続されていない側に設けられた貫通孔とが、ピン１９によって貫通され、把持部材３と電気回路収容部材２ｂとは、互いに回動可能に軸支されている。このため、把持部材３は９０°回動可能である。
【００９３】
把持部材３の回動は、ピン１９によって軸支された、ねじりコイルスプリング２０によって付勢される。ねじりコイルスプリング２０は、回動の初期位置から終点位置に向けて把持部材３の回動を付勢する。連射式信号弾１の使用時までの間、クリップ２１との係止により把持部材３は、その回動の初期位置つまり信号弾本体２における光弾収容部材２ａと隣接した位置で固定されている。このとき、連射式信号弾１は略直方体形状であるので、取扱い、運搬が容易である。
【００９４】
実施例２における連射式信号弾１においては、まず、リボン２２を引っ張り、クリップ２１を動かし、クリップ２１と把持部材３との係合を解く。把持部材３が、ねじりコイルスプリング２０の付勢力により付勢されながらピン１９を軸にして回動する。ロック釦３２は初め、コイルスプリング３３により付勢された状態で電気回路収容部材２ｂ内に格納されているが、把持部材３が９０°回動すると、図３に示すように、貫通孔３１にロック釦３２の凸部が突出した状態で係合する。その結果、把持部材３の回動が止まり、把持部材３が固定される。このとき、プッシュスイッチ２６は露出している。
【００９５】
把持部材３を把持し、光弾収容部材２ａにおける凹陥部６を上方に向ける。プッシュスイッチ２６を指で押して電気回路を作動させる。光弾収容部材２ａにおける一端側に位置する点火薬収容室７に配置された点火玉５に電気が流れる。点火薬５が発火する。点火薬５の発火により、推進薬１３が発火する。この推進薬１３の燃焼により、光弾４が、蓋部材１８を破り、空中に打ち上げられるのとほぼ同時に、速火線１４、着火薬１５が発火され、この着火薬１５の発火により光薬１２が、上昇しながら燃焼し、中空体１１の開口部から発光する。プッシュスイッチ２６を指で押す毎に、凹陥部６に装填された光弾４が順次打ち上げられ、光薬１２が燃焼により発光する。その結果、非常事態の発生が確認される。
【００９６】
実施例２における連射式信号弾１は、光弾４を１列に配置しているので薄型、軽量であり、把持部材３が折畳式になっているので小型であり、収納・運搬に非常に便利で取り扱い易い。また、把持部材３をセットしたときにのみ、プッシュスイッチ２６が露出するので、使用時以外の誤作動を確実に防止することができる。プッシュスイッチ２６を押すだけで、非常信号を１発づつ打ち上げ、発光させることができるので、この連射式信号弾１は、救命用等として好適に使用することができる。
【００９７】
【発明の効果】
この発明によると、前記課題を解決することができる。すなわち、この発明によると、前記従来の連射式信号弾における問題を解決することができる。この発明によると、救命用等として好適に使用することができる連射式信号弾を提供することができる。この発明によると、簡単な構造で取り扱い易い連射式信号弾を提供することができる。この発明によると、薄型、小型、軽量で収納や運搬等に便利な連射式信号弾を提供することができる。
【図面の簡単な説明】
【図１】図１は、この発明に係る連射式信号弾の一の実施例を示す断面概略説明図である。
【図２】図２は、この発明に係る連射式信号弾の他の実施例を示す断面概略説明図である。
【図３】図２に示す連射式信号弾における、Ａ−Ａ’部分断面図である。
【符号の説明】
１・・・連射式信号弾、２・・・信号弾本体、２ａ・・・光弾収容部材、
２ｂ・・・電気回路収容部材、３・・・把持部材、
３ａ・・・切欠き部、３ｂ・・・貫通部、３ｃ・・・貫通孔、
４・・・光弾、５・・・点火玉、６・・・凹陥部、７・・・点火薬収容室、
８・・・溝、９・・・凹部、１０・・・貫通孔、１１・・・中空体、
１２・・・光薬、１３・・・推進薬、１４・・・速火線、１５・・・着火薬、
１６・・・脚線、１７・・・ポッティング剤、１８・・・蓋部材、
１９・・・ピン、２０・・・ねじりコイルスプリング、２１・・・クリップ、
２２・・・リボン、２３・・・ピン、２４・・・サポーター、
２５・・・溝穴、２６・・・プッシュスイッチ、
２７・・・ねじりコイルスプリング、２８・・・把持部材側ヒンジ、
２９・・・本体側ヒンジ、３０・・・ネジ、
３１・・・貫通孔、３２・・・ロック釦、３３・・・コイルスプリング
【図１】
0003698472.tif 000002
【図２】
0003698472.tif 000003
【図３】
0003698472.tif 000004